(57)【要約】【課題】確実に扉を所定の開き位置でロックすることができ、且つ簡単な構造で容易に組み付けることのできる戸当たりを低コストで提供すること。【解決手段】回動ドアーＣの遊端下部に取り付けられ且つ下面に磁石１を備えた吸着面２を有するボデイＡと、床面Ｄに取り付けられ且つ枢軸部３を介して水平な倒伏姿勢から傾斜姿勢まで回動できるように保持された磁性材製の回動舌片４を備えた基体Ｂとから成り、回動ドアーＣが所定の開き位置にきたときに前記回動舌片４が磁石１に吸引されて引き上げられて吸着面２に吸着するようにした戸当たりであって、前記基体に係合杆が起伏自在に設けられ、前記ボデイに係合杆が着脱自在に係合するフックが設けられており、回動ドアーが所定の開き位置にあるときに前記係合杆をフックに係合することができるように形成されている構造。【選択図】　　　　図１
2004084202.tif 000002
【特許請求の範囲】
【請求項１】
回動ドアーの遊端下部に取り付けられ且つ下面に磁石を備えた傾斜吸着面を有するボデイと、床面に取り付けられ且つ枢軸部を介して水平な倒伏姿勢から傾斜姿勢まで回動できるように保持された磁性材製の回動舌片を備えた基体とから成り、回動ドアーが所定の開き位置にきたときに前記回動舌片が磁石に吸引されて引き上げられて吸着面に吸着するようにした戸当たりであって、前記基体に係合杆が起伏自在に設けられ、前記ボデイに係合杆が着脱自在に係合するフックが設けられており、回動ドアーが所定の開き位置にあるときに前記係合杆をフックに係合することができるように形成されている戸当り。
【請求項２】
前記回動舌片の枢軸部が回動舌片の基端部両側から突出した状態で一体的に形成され、前記基体は回動舌片が出没する開口部を備えた台盤と、該台盤の下面に下方から嵌め込まれた受板とを含み、該受板に形成した枢軸受溝に前記回動舌片の枢軸部が回動可能に嵌め込まれ、該枢軸部の上方が前記台盤によって閉塞されており、更に前記回動舌片が所定の傾斜角度まで立ち上がった時に回動舌片の根本部上面に当接して立ち上がり角度を規制するストッパーが前記基体に設けられている戸当たり。
【発明の詳細な説明】
【０００１】
【発明が属する技術分野】
本発明は、所定の開き位置でドアーを停止保持させる戸当たりに関するものである。
【０００２】
【従来の技術】
従来、ドアーを開放したときに床面に埋め込んだ回動舌片が磁石に吸着されて立ち上がり、ドアーを停止させる舌片吸着タイプの戸当たりとして例えば特開２０００−８０８５４号公報に示すものがある。
【０００３】
【発明が解決しようとする課題】
このような従来の舌片吸着タイプの戸当たりは、全て回動舌片と磁石の吸着だけで扉を停止保持させているので風や振動等で容易に吸着が外れてしまうことがあった。また従来タイプのものは多くの場合、上記公報にに示すように金属板材からなる回動舌片（１２）の一端部を筒状に巻いてこの巻管部分に別に設けた支軸（１５）を差し込み、左右に突出した支軸を基盤（１）に保持させた構造となっている。このような構造では、金属板材の一端部を筒状に形成する加工、並びに支軸を巻管部分に挿入する作業が面倒であると共に、巻管部分の肉厚が大きくなってなってこれを収納する基盤が厚くなり、その結果、床面からの出代（突出部分）が多くなって足の指先を引っかけるといった欠点がある。また、従来では、回動舌片を基盤から遊離しないように組み付ける構造も複雑で組み付け作業も面倒であった。
【０００４】
そこで本発明は、本発明の第１の目的は扉を所定の開き位置で確実に停止保持することのできる舌片吸着タイプの戸当たりを提供するにある。
【０００５】
更に本発明の第２の目的は簡単な構造で容易に組み付けることのできる戸当たりを低コストで提供することにある。
【０００６】
【課題を解決するための手段】
上記目的を達成する為に本発明では次のような技術的手段を講じた。即ち、本発明にかかる戸当たりにあっては、回動ドアーの遊端下部に取り付けられ且つ下面に磁石を備えた傾斜吸着面を有するボデイと、床面に取り付けられ且つ枢軸部を介して水平な倒伏姿勢から傾斜姿勢まで回動できるように保持された磁性材製の回動舌片を備えた基体とから成り、回動ドアーが所定の開き位置にきたときに前記回動舌片が磁石に吸引されて引き上げられて吸着面に吸着するようにした戸当たりであって、前記基体に係合杆が起伏自在に設けられ、前記ボデイに係合杆が着脱自在に係合するフックが設けられており、回動ドアーが所定の開き位置にあるときに前記係合杆をフックに係合することができるように形成されている構造とした。
【０００７】
また本発明では、前記回動舌片の枢軸部が回動舌片の基端部両側から突出した状態で一体的に形成され、前記基体は回動舌片が出没する開口部を備えた台盤と、該台盤の下面に下方から嵌め込まれた受板とを含み、該受板に形成した枢軸受溝に前記回動舌片の枢軸部が回動可能に嵌め込まれ、該枢軸部の上方が前記台盤によって閉塞されており、更に前記回動舌片が所定の傾斜角度まで立ち上がった時に回動舌片の根本部上面に当接して立ち上がり角度を規制するストッパーが前記基体に設けられている構造も特徴とする。
【０００８】
前記ストッパーは基体の受板に形成するのが好ましいが、台盤の開口部の一縁を延設して回動舌片の根本部上面に当接するストッパーとしてもよい。
【０００９】
また、回動舌片の下面を受けて該回動舌片を水平な倒伏姿勢に保持すると共に回動舌片と受板との間に隙間を形成する突起を前記受板に突出形成するのがよい。この突起によって水平な倒伏姿勢にある回動舌片と受板との間に間隙が確保され、塊屑等が回動舌片の下方に入り込んだときにこの間隙に落ち込んで回動舌片が浮き上がった姿勢になることを未然に防止することができる。
【００１０】
【発明の実施の形態】
図１〜図５は本発明の実施例を示すものであって、回動ドアーＣの遊端下部の前面に取り付けられるボデイＡと、床面Ｄの所定位置に取り付けられる基体Ｂとからなる。
【００１１】
前記ボデイＡは、下面に磁石１を有する吸着面２を備えている。また前記基体Ｂは、枢軸部３を介して水平な倒伏姿勢から上方に向かって所定の傾斜姿勢まで回動可能に保持された鉄等の磁性板材からなる略長方形状の回動舌片４を備えている。そして回動ドアーＣが図３の位置から更に進んで図４の所定の開き位置にきたときに前記回動舌片４が磁石１に吸引されて引き上げられて吸着面２に吸着係合するように形成されている。
【００１２】
更に、前記回動舌片４の枢軸部３が回動舌片４の基端部両側から突出した状態で一体的に形成されている。これは板素材をプレスで打ち抜いたときに容易に同時形成することができる。
【００１３】
また、前記基体Ｂは回動舌片４が出没する開口部５を備えた台盤６と、該台盤６の下面に下方から嵌め込まれた受板７とを含む。該受板７には前記回動舌片４の枢軸部３、３を回動自在に受け入れる枢軸受溝８、８が設けられている。この枢軸受溝８，８に枢軸部３、３が嵌め込まれ、枢軸部３、３の上方が図２に示すように前記台盤６によって閉塞されており、これにより回動舌片４が基体Ｂから遊離することが阻止されている。
【００１４】
更に前記回動舌片４が所定の傾斜角度まで立ち上がった時に回動舌片４の根本部上面に当接して立ち上がり角度を規制するストッパー９が前記基体Ｂの受板７に設けられている。
【００１５】
また、回動舌片４の下面を受けて該回動舌片４を水平な倒伏姿勢に保持するピン状の突起１２が前記受板７に突出形成されている。この突起によって水平な倒伏姿勢にある回動舌片４と受板７との間に間隙１３が確保される。この間隙１３は次のような効果を発揮する。即ち、回動舌片４が磁石に吸着されて上方に回動している間に小さな塊屑等が回動舌片４の下方に入り込んだ場合、前記間隙１３がないと、磁石との吸着が解除されて回動舌片４が元の水平姿勢に復帰するときに塊屑によって浮き上がった姿勢になり、足指先を引っかける等の弊害が生じるが、前記隙間１３の存在によって塊屑が該隙間１３にある程度吸収され、回動舌片４の水平な傾倒姿勢を保持することができるものである。
【００１６】
更に、前記基体Ｂに係合杆１０が水平な姿勢から上方に回動できるように起伏自在に設けられている。そして前記ボデイＡにこの係合杆１０が着脱自在に係合するフック１４が設けられており、回動ドアーＣが図４並びに図５の所定の開き位置にあるときに前記係合杆１０をフック１４に係合して扉を係止できるように形成されている。
【００１７】
上記の如く構成された戸当たりにあっては、回動舌片４の枢軸部３を受板７の枢軸受溝８に嵌めこんだ状態で受板７を台盤６に下面から嵌め込み、その状態で台盤６をネジ挿入孔１０…を介して木ネジ１５を床面Ｄに螺入することにより簡単に基体Ｂを床面Ｄに取り付けることができる。取り付けられた状態において、回動舌片４の枢軸部３は枢軸受溝８内にあってその上方が図２に示すように台盤６によって閉塞されているので台盤６から遊離することがない。また枢軸部３は回動舌片４と一体的に形成されているものであるから製作が容易であり、かつ枢軸部３が回動舌片４と同じ板厚で形成できるから、これを収納する台盤６の総厚みを薄く形成できる。また、回動舌片４の立ち上がり角度はストッパー９によって所定の傾斜角度で規制されているので、回動舌片４が掃除機の吸引力によって図５の状態から左方に大きく反転することが未然に防止される。
【００１８】
更に、扉Ｃを図４の所定の開き位置にあるときに、図５に示すように係合杆１０をフック１４に係合させることにより扉Ｃを確実に所定の開き位置で係止ロックさせることができ、風等で扉が外れることがない。
【００１９】
以上本発明の代表的と思われる実施例について説明したが、本発明は必ずしもこれらの実施例構造のみに限定されるものではなく、上記した本発明の構成要件を備え、かつ本発明の目的を達成し、下記の効果を奏する範囲内において適宜改変して実施できるものである。
【００２０】
【発明の効果】
本発明は上記の如く構成したものであるから、扉が所定の開き位置で回動舌片が磁石に吸着された状態の時に、係合杆をフックに係合させることにより扉を確実にロックさせることができ、これにより風や振動等により扉が外れることを未然に防止することができる。更に請求項２の構成によれば、前記効果に加えて、回動舌片と枢軸部とが一体構造であり、しかも受板を台盤に嵌め込むことによって回動舌片の枢軸部を受板と台盤との間に挟み込んで保持する構造としたから、簡単に且つ確実に回動舌片を台盤に組み込むことができ、これにより従来に比べ低コストで製作することができる。また、回動舌片の立ち上がり角度がストッパーによって所定の傾斜角度で規制されているので、回動舌片が掃除機の吸引力等によって大きく反転することを未然に防止できる、といった効果がある。
【図面の簡単な説明】
【図１】本発明に係る戸当たりの分解斜視図。
【図２】上記戸当たりの基体部分の組立斜視図。
【図３】上記戸当たりを取り付けた状態を示す図面であって、基体部分は図２のａ−ａ線にそって断面されている。
【図４】上記戸当たりの作動を示す図３同様の断面図。
【図５】上記戸当たりの係合杆をフックに係合させた状態を示す側面図。
【符号の説明】
Ａ　ボデイ
Ｂ　基体
Ｃ　扉
Ｄ　床面
１　磁石
２　吸着面
３　枢軸部
４　回動舌片
５　開口部
６　台盤
７　受板
８　枢軸受溝
９　ストッパー
１０　係合杆
１２　突起
１３　間隙
１４フック
【図１】
2004084202.tif 000003
【図２】
2004084202.tif 000004
【図３】
2004084202.tif 000005
【図４】
2004084202.tif 000006
【図５】
2004084202.tif 000007
【手続補正書】
【提出日】平成14年11月18日(2002.11.18)
【手続補正１】
【補正対象書類名】図面
【補正対象項目名】図５
【補正方法】変更
【補正の内容】
【図５】
2004084202.tif 000008